(57)【要約】      （修正有）【課題】経年変化させた写真を用いて子供たちに将来各種の職業等に就いた自分を強くイメージさせ、最適な職業選択、当該職業に就くためのマインドの養成を図る未来像提示システム、未来像提示方法、及びサーバ装置を提供する。【解決手段】サーバ装置１は、ユーザの情報端末と通信する通信部１３と、通信部１３を介してユーザの画像データを取得する画像取得部１０ｂと、画像データを経年変化させる経年変化処理部１０ｃと、経年変化させた画像データにシチュエーションの画像データを合成する画像合成部１０ｄと、合成された画像データを含むファイルを生成するファイル生成部１０ｅと、上記ファイルを、通信部１３を介してユーザの情報端末に送信するように制御する主制御部１０ａとを備える。ユーザの情報端末では、ユーザに所定のシチュエーションに置かれた未来の自分の姿を未来像で提示する。【選択図】図２
2017068388.tif 000002
【特許請求の範囲】
【請求項１】
ユーザの情報端末と通信する通信手段と、
上記通信手段を介してユーザの画像データを取得する画像取得手段と、
上記画像データを経年変化させる経年変化処理手段と、
上記経年変化させた画像データにシチュエーションの画像データを合成する画像合成手段と、
上記合成された画像データを含むファイルを生成するファイル生成手段と、
上記ファイルを、上記通信手段を介して上記ユーザの情報端末に送信するように制御する制御手段と、を備えた
サーバ装置。
【請求項２】
複数のシチュエーションに係る画像データ、テキストデータ、及び音声データを記憶したシチュエーション記憶手段を更に備え、
上記ファイル生成手段は、上記合成された画像データと、テキストデータ及び音声データの少なくともいずれかと、を含むファイルを生成する
請求項１に記載のサーバ装置。
【請求項３】
上記通信手段を介して音声データを取得する音声取得手段と、
上記音声データを音声認識する音声認識手段と、
上記認識された音声に対応するシナリオを選択するシナリオ選択手段と、
上記選択されたシナリオに基づいて音声ファイルを生成する音声ファイル生成手段と、
上記音声ファイルを出力する音声ファイル出力手段と、を更に備え、
上記制御手段は、上記音声ファイルを、上記通信手段を介して上記ユーザの情報端末に送信するように制御する
請求項１又は請求項２に記載のサーバ装置。
【請求項４】
上記シチュエーションごとに、上記認識された音声に対応するシナリオを複数記憶した対話シナリオ記憶手段を更に備えた
請求項３に記載のサーバ装置。
【請求項５】
上記ユーザの属性情報に基づいて上記シチュエーションを選択するシチュエーション選択手段を更に備え、
上記属性情報とは、上記ユーザの嗜好性、身体的特徴、得意不得意な科目、及び性格の少なくともいずれかである
請求項１乃至請求項４のいずれか1項に記載のサーバ装置。
【請求項６】
上記ユーザと上記シチュエーションとの関係を集計する集計部を更に備え、
上記集計部は、上記通信手段を介して上記ユーザの年齢情報を取得し、
複数のユーザについて、年齢とシチュエーションとの関係を集計し、年代別になりたい職業のランキング表を生成する
請求項１乃至請求項５のいずれか1項に記載のサーバ装置。
【請求項７】
ユーザの情報端末とサーバ装置とからなる未来像提示システムであって、
上記情報端末は、
上記サーバ装置と通信する第１通信手段と、
表示を行う表示手段と、
上記第１通信手段を介して上記ユーザの画像データを送信するよう制御する第１制御手段と、を備え、
上記サーバ装置は、
上記情報端末と通信する第２通信手段と、
上記第２通信手段を介してユーザの画像データを取得する画像取得手段と、
上記画像データを経年変化させる経年変化処理手段と、
上記経年変化させた画像データにシチュエーションの画像データを合成する画像合成手段と、
上記合成された画像データを含むファイルを生成するファイル生成手段と、
上記ファイルを、上記第２通信手段を介して上記情報端末に送信するように制御する第２制御手段と、を備え、
上記情報端末では、上記第１通信手段を介して上記サーバ装置からの上記ファイルを受信し、上記ファイルに基づく表示を上記表示手段にて行うことで、上記ユーザに所定のシチュエーションに置かれた未来の自分の姿を提示する
未来像提示システム。
【請求項８】
上記サーバ装置は、
複数のシチュエーションに係る画像データ、テキストデータ、及び音声データを記憶したシチュエーション記憶手段を更に備え、
上記ファイル生成手段は、上記合成された画像データと、テキストデータ及び音声データの少なくともいずれかと、を含むファイルを生成する
請求項７に記載の未来像提示システム。
【請求項９】
上記サーバ装置は、
上記第２通信手段を介して音声データを取得する音声取得手段と、
上記音声データを音声認識する音声認識手段と、
上記認識された音声に対応するシナリオを選択するシナリオ選択手段と、
上記選択されたシナリオに基づいて音声ファイルを生成する音声ファイル生成手段と、
上記音声ファイルを出力する音声ファイル出力手段と、を更に備え、
上記第２制御手段は、上記音声ファイルを、上記第２通信手段を介して上記ユーザの情報端末に送信するように制御する
請求項７又は請求項８に記載の未来像提示システム。
【請求項１０】
ユーザの情報端末とサーバ装置による未来像提示方法であって、
上記情報端末が、上記ユーザの画像データを上記サーバ装置に送信するステップと、
上記サーバ装置が、上記ユーザの画像データを取得するステップと、
上記サーバ装置が、上記画像データを経年変化させ、経年変化させた画像データにシチュエーションの画像データを合成し、合成された画像データを含むファイルを生成するステップと、
上記サーバ装置が、上記ファイルを上記情報端末に送信するステップと、
上記情報端末が、上記サーバ装置からの上記ファイルを受信し、上記ファイルに基づく表示を行うことで、上記ユーザに所定のシチュエーションに置かれた未来の自分の姿を提示するステップと、を有する
未来像提示方法。
【発明の詳細な説明】
【技術分野】
【０００１】
本発明は、ユーザの経年変化画像を自動生成し、各種職業、立場、環境など各種シチュエーションにある自分の未来像を提示することができる未来像提示システム、未来像提示方法、及びサーバ装置に関するものである。
【背景技術】
【０００２】
少子高齢化した社会においては、子供たちが、各自のなりたい「将来の自分」をしっかりとイメージし、その夢のために自ら率先して学習や練習に取り組むマインドの養成が極めて重要になってくる。例えば、プロのサッカー選手がなりたい自分であると強くイメージできれば、その為の日々の練習も継続することができ、更には将来海外遠征に向けて外国語の習得が必要であることも認識し、その為の準備も進めることができる。また、パイロットがなりたい自分であると強くイメージできれば、特別な学校に進学する必要があり規律正しい生活を送らなければならないことも認識し、そのために幼少期から規律正しい生活を送ろうと自ら生活を律するかもしれない。
【０００３】
しかしながら、今日では、職業も多様化しており、日々、新しい職種も生まれていることから、子供たちが、これら多様な選択肢を十分に把握した上で自分の適正にあった職業を選択する環境が十分に整っていない。
【０００４】
このような課題に鑑みて、職業適性として定義した複数類の志向それぞれに対して、指定参加者に対してランダムに一つの志向、即ち注目志向を選択し、注目志向に対応して提示される職業カード情報のなかに、指定参加者が選択している志向の情報を含む職業カード情報が存在する場合、その職業カード情報を指定参加者に割り当てるキャリア教育支援システムがある（例えば、特許文献１参照）。
【先行技術文献】
【特許文献】
【０００５】
【特許文献１】特開２００６−７８９１６号公報
【発明の概要】
【発明が解決しようとする課題】
【０００６】
しかしながら、特許文献１では、職業適性にあった職業カードを指定参加者に割り当てるに過ぎないので、子供たちに、これを適用した場合、本当にその職業が自分にふさわしいものか、判断することはできない。また、その職業に就いた自分を強くイメージすることができないので、その職業や立場に就くための努力をしようというマインドは継続しない可能性が高い。
【０００７】
しかるに、経年変化させた将来の自分の写真、つまり未来像を用いて、子供たちに、将来、各種の職業に就いた自分を強くイメージしてもらい、ひいては未来の自分と対話してもらい、最適な職業選択へと導くシステム等は、従来存在しない。
【０００８】
本発明は、このような課題に鑑みてなされたものであり、経年変化させた写真を用いて子供たちに将来各種の職業等に就いた自分の未来像を強くイメージさせ、最適な職業選択及び当該職業に就くためのマインドの養成を図ること、及びやりたい事を達成させる手段としての職業は多数ある事を理解し、自分で考える可能性の枠を取り外し、可能性は無限に広がっている事を理解させることを目的とする。
【課題を解決するための手段】
【０００９】
上記課題を解決するため、本発明の第１の態様に係るサーバ装置は、ユーザの情報端末と通信する通信手段と、上記通信手段を介してユーザの画像データを取得する画像取得手段と、上記画像データを経年変化させる経年変化処理手段と、上記経年変化させた画像データにシチュエーションの画像データを合成する画像合成手段と、上記合成された画像データを含むファイルを生成するファイル生成手段と、上記ファイルを、上記通信手段を介して上記ユーザの情報端末に送信するように制御する制御手段とを備えている。
【００１０】
本発明の第２の態様に係るサーバ装置は、第１の態様において、複数のシチュエーションに係る画像データ、テキストデータ、及び音声データを記憶したシチュエーション記憶手段を更に備え、上記ファイル生成手段は、上記合成された画像データと、テキストデータ及び音声データの少なくともいずれかと、を含むファイルを生成する。
【００１１】
本発明の第３の態様に係るサーバ装置は、第１又は第２の態様において、上記通信手段を介して音声データを取得する音声取得手段と、上記音声データを音声認識する音声認識手段と、上記認識された音声に対応するシナリオを選択するシナリオ選択手段と、上記選択されたシナリオに基づいて音声ファイルを生成する音声ファイル生成手段と、上記音声ファイルを出力する音声ファイル出力手段と、を更に備え、上記制御手段は、上記音声ファイルを、上記通信手段を介して上記ユーザの情報端末に送信するように制御する。
【００１２】
本発明の第４の態様に係るサーバ装置は、第３の態様において、上記シチュエーションごとに、上記認識された音声に対応するシナリオを複数記憶した対話シナリオ記憶手段を更に備えている。
【００１３】
本発明の第５の態様に係るサーバ装置は、第１乃至第４の態様において、上記ユーザの属性情報に基づいて上記シチュエーションを選択するシチュエーション選択手段を更に備え、上記属性情報とは、上記ユーザの嗜好性、身体的特徴、得意不得意な科目、及び性格の少なくともいずれかである。
【００１４】
本発明の第６の態様に係るサーバ装置は、上記ユーザと上記シチュエーションとの関係を集計する集計部を更に備え、上記集計部は、上記通信手段を介して上記ユーザの年齢情報を取得し、複数のユーザについて、年齢とシチュエーションとの関係を集計し、年代別になりたい職業のランキング表を生成する。
【００１５】
本発明の第７の態様に係る未来像提示システムは、ユーザの情報端末とサーバ装置とからなる未来像提示システムであって、上記情報端末は、上記サーバ装置と通信する第１通信手段と、表示を行う表示手段と、上記第１通信手段を介して上記ユーザの画像データを送信するよう制御する第１制御手段と、を備え、上記サーバ装置は、上記情報端末と通信する第２通信手段と、上記第２通信手段を介してユーザの画像データを取得する画像取得手段と、上記画像データを経年変化させる経年変化処理手段と、上記経年変化させた画像データにシチュエーションの画像データを合成する画像合成手段と、上記合成された画像データを含むファイルを生成するファイル生成手段と、上記ファイルを、上記第２通信手段を介して上記情報端末に送信するように制御する第２制御手段と、を備え、上記情報端末では、上記第１通信手段を介して上記サーバ装置からの上記ファイルを受信し、上記ファイルに基づく表示を上記表示手段にて行うことで、上記ユーザに所定のシチュエーションに置かれた未来の自分の姿を提示する。
【００１６】
本発明の第８の態様に係る未来像提示システムは、上記サーバ装置は、複数のシチュエーションに係る画像データ、テキストデータ、及び音声データを記憶したシチュエーション記憶手段を更に備え、上記ファイル生成手段は、上記合成された画像データと、テキストデータ及び音声データの少なくともいずれかと、を含むファイルを生成する。
【００１７】
本発明の第９の態様に係る未来像提示システムは、上記サーバ装置は、上記第２通信手段を介して音声データを取得する音声取得手段と、上記音声データを音声認識する音声認識手段と、上記認識された音声に対応するシナリオを選択するシナリオ選択手段と、上記選択されたシナリオに基づいて音声ファイルを生成する音声ファイル生成手段と、上記音声ファイルを出力する音声ファイル出力手段と、を更に備え、上記第２制御手段は、上記音声ファイルを、上記第２通信手段を介して上記ユーザの情報端末に送信するように制御する。
【００１８】
そして、本発明の第１０の態様に係る未来像提示方法は、ユーザの情報端末とサーバ装置による未来像提示方法であって、上記情報端末が、上記ユーザの画像データを上記サーバ装置に送信するステップと、上記サーバ装置が、上記ユーザの画像データを取得するステップと、上記サーバ装置が、上記画像データを経年変化させ、経年変化させた画像データにシチュエーションの画像データを合成し、合成された画像データを含むファイルを生成するステップと、上記サーバ装置が、上記ファイルを上記情報端末に送信するステップと、上記情報端末が、上記サーバ装置からの上記ファイルを受信し、上記ファイルに基づく表示を行うことで、上記ユーザに所定のシチュエーションに置かれた未来の自分の姿を提示するステップとを有する。
【発明の効果】
【００１９】
本発明によれば、経年変化させた写真を用いて子供たちに将来各種の職業等に就いた自分の未来像を強くイメージさせ、最適な職業選択及び当該職業に就くためのマインドの養成を図る未来像提示システム、未来像提示方法、及びサーバ装置を提供することができる。
【図面の簡単な説明】
【００２０】
【図１】本発明の第１実施形態に係る未来像提示システムの構成図である。
【図２】サーバ装置の構成図である。
【図３】ユーザＤＢに格納されているユーザ管理テーブルの一例を示す図である。
【図４】シチュエーションＤＢに格納されているシチュエーション管理テーブルの一例を示す図である。
【図５】集計部による集計結果を示す図である。
【図６】情報端末の構成図である。
【図７】本発明の第１実施形態に係る未来像提示システムによる処理手順を示すフローチャートである。
【図８】（ａ）乃至（ｄ）は、本発明の第１実施形態に係る未来像提示システムの情報端末側の画面の表示例を示す図である。
【図９】コンテンツ生成処理の処理手順を示すフローチャートである。
【図１０】本発明の第２実施形態に係る未来像提示システムのサーバ装置の構成図である。
【図１１】対話シナリオＤＢのシナリオテーブルの構成例を示す図である。
【図１２】対話部の詳細な構成を示す図である。
【図１３】本発明の第２実施形態に係る未来像提示システムによる処理手順を示すフローチャートである。
【図１４】コンテンツ生成処理の処理手順を示すフローチャートである。
【図１５】対話処理の詳細な処理手順を示すフローチャートである。
【図１６】本発明の第３実施形態に係る未来像提示システムのサーバ装置の構成を示す図である。
【図１７】（ａ）乃至（ｄ）は、シチュエーション選択部による選択時に参照されるユーザの属性情報を示す図である。
【発明を実施するための形態】
【００２１】
以下、図面を参照しつつ本発明の実施形態について説明する。
【００２２】
＜第１実施形態＞
【００２３】
図１には本発明の第１実施形態に係る未来像提示システムの構成を示し説明する。
【００２４】
同図に示されるように、未来像提示システムは、サーバ装置１と、ユーザの情報端末２とが、インターネットなどのネットワーク３を介して接続され構成されている。ユーザの情報端末２としては、例えば、スマートフォン、タブレット端末、携帯電話機などの携帯端末２ａ、ノート型パーソナルコンピュータ（以下、パソコンと略記）２ｂ、デスクトップ型パソコン２ｃなど、種々のものを採用することができる。ユーザの情報端末２は、無線通信でネットワーク３に接続されるようにしてもよい。
【００２５】
このような構成において、ユーザは、情報端末２によりサーバ装置１が提供するＷｅｂサイトにアクセスする。そして、自分の画像をアップロードし、現在の年齢、未来像に係る見たい年齢を入力し、シチュエーション（例えば、職業、立場、環境）を選択する。すると、これらの情報がサーバ装置１側に送られ、サーバ装置１ではアップロードされた画像データに経年変化処理を施し、シチュエーションに係る画像データと合成する。そしてシチュエーションに対応するテキストデータ（コメント）や音声データ（コメント）がある場合には、上記合成画像データと共に、これらテキストデータ、音声データを１つのファイルにまとめて、情報端末２側に送信する。情報端末２側では、このファイルを受信すると、ブラウザ機能により、所定のシチュエーションに置かれた経年変化した自分の大人になった画像、つまり「未来像」を、コメント等と共に再生する。
【００２６】
従って、ユーザは、特定のシチュエーション（例えば、職業、立場、環境）に就いた自分の経年変化画像を、その職業等に就いた自分からのコメント等と共に確認することができるので、自分の「未来像」をより強くイメージすることができ、より適性のある職業を選択できるようになる。また、そのシチュエーションに将来の自分を置きたいとの意欲が高まることが期待できる。
【００２７】
図２には、サーバ装置１の構成を更に詳細に示し説明する。
【００２８】
同図に示されるように、サーバ装置１は、全体の制御を司るＣＰＵ(Central Processing Unit)等の制御部１０を備えており、制御部１０は、通信バス１７を介して、メモリやＨＤＤ(Hard Disc Drive)等の記憶部１２、通信手段としての通信部１３、ユーザデータベース（以下、ＤＢと略記）、シチュエーション記憶手段としてのシチュエーションＤＢ１５、集計結果ＤＢ１６と接続されている。制御部１０は、記憶部１２の制御プログラム１１を読み出し、実行することで、制御手段としての主制御部１０ａ、画像取得手段としての画像取得部１０ｂ、経年変化処理手段としての経年変化処理部１０ｃ、画像合成手段としての画像合成部１０ｄ、ファイル生成手段としてのファイル生成部１０ｅ、及び集計部１０ｆとして機能する。この制御プログラムの実行時には、記憶部１２は、ワークエリアを提供することになる。
【００２９】
このような構成において、通信部１３は、ユーザの情報端末２等とネットワーク３を介して通信する。記憶部１２は、制御プログラムを記憶すると共に、その実行時にはワークエリアとして機能する。ユーザＤＢ１４は、図３に示されるように、ユーザのユーザＩＤ（ＵＩＤ）と年齢、選択年齢、シチュエーションＩＤ（ＳＩＤ）、画像ファイルを対応付けて記憶している。シチュエーションＤＢ１５は、図４に示されるように、シチュエーションＩＤ（ＳＩＤ）とシチュエーション名、画像ファイル、コメント（テキストデータ、音声データ）を各シチュエーション毎に対応付けて記憶している。集計結果ＤＢ１６は、図５に示されるように、各年代、性別、地域（市町村、都道府県、国等をログイン場所等に基づいて検出）ごとに、ないたいシチュエーション（この例では、職業）のランキングを一覧形式で記憶している。
【００３０】
一方、制御部１０の各部１０ａから１０ｆは次のように機能する。通信部１３を介してユーザの情報端末２から送られてきた画像データ、年齢や選択年齢、選択されたシチュエーションに係る属性データを含むファイルを受信すると、画像取得部１０ｂは、画像データを取得する。そして、経年変化処理部１０ｃは、ユーザの年齢及び選択年齢に係る属性データに基づいて、ユーザの画像データを経年変化させる。
【００３１】
続いて、画像合成部１０ｄは経年変化させた画像データに属性データに基づいて選択したシチュエーション画像データを合成する。ファイル生成部１０ｅは、この合成された画像データと、シチュエーションに紐づけられたコメントに関わるテキストデータ、音声データを含むファイルを生成する。主制御部１０ａは、このファイルを、通信部１３を介してユーザの情報端末２に送信する。
【００３２】
これにより、ユーザの情報端末２側では、ユーザにより選択されたシチュエーション（例えば、職業、立場、又は環境）におかれた自分の経年変化画像をコメントがある場合にはコメントも添えて表示し、確認するよう促すことになる。
【００３３】
集計部１０ｆは、ユーザＤＢ１４を参照して、ユーザとシチュエーションとの関係を集計する。集計結果は、先に図５に示されたような一覧表形式となる。集計結果は、複数のユーザについて、年齢とシチュエーションとの関係を集計したもので、年代別になりたい職業のランキング表となっているが、これには限定されない。
【００３４】
図６には情報端末２の詳細な構成を示し説明する。
【００３５】
同図に示されるように、情報端末２は、全体の制御を司るＣＰＵ等の制御部２０を備えており、制御部２０は、通信バス２８を介して、メモリやＨＤＤ等の記憶部２１、通信手段としての通信部２２、タッチパネル（表示部２４、操作部２５）、マイクロフォン等の音声入力部２６、スピーカ等の音声出力部２７、カメラ部２９と接続されている。制御部２０は、記憶部２１の制御プログラムを読み出し実行することで、制御手段としての主制御部２０ａ、ブラウザ部２０ｂ、及び表示制御部２０ｃとして機能する。制御プログラムの実行時には、記憶部２１は、ワークエリアを提供することになる。
【００３６】
このような構成において、ブラウザ部２０ｂにより、通信部２２を介してサーバ装置１の提供するＷｅｂサイトにアクセスすると、表示制御部２０ｃの制御の下、詳細な図８で後述するような画面が表示部２４に表示される。ユーザは、操作部２５を操作することで画像データのアップロード、年齢や選択年齢の入力、シチュエーションの選択を行う。ブラウザ部２０ｂは、これら属性データと画像データをサーバ装置１に通信部２２を介して通信する。そして、サーバ装置１から、経年変化した画像データと、コメントに関わるテキストデータ、音声データを含むファイルを、通信部２２を介して受信すると、ブラウザ部２０ｂは、それを取得し、表示制御部２０ｃの制御の下、表示部２４に未来像に関わる表示を行うことになる。
【００３７】
これにより、選択年齢時の自分の姿が選択シチュエーションと重ね合わされて、更にシチュエーションについた自分の感想やアドバイスといったコメントも併せて表示又は出力されるので、未来像を強く実感することができる。
【００３８】
以下、図７のフローチャートを参照して、発明の第１実施形態に係る未来像提示システムによる処理手順を説明する。ここでは、図８（ａ）乃至（ｄ）の未来像提示システムの情報端末２側の画面の表示例を適宜参照する。
【００３９】
処理を開始すると、ユーザは情報端末２のブラウザ部２０ｂによりサーバ装置１の提供するＷｅｂサイトにアクセスする（Ｓ１）。サーバ装置１は、主制御部１０ａがユーザに対してユーザＩＤを割り当て（Ｓ２）、主制御部１０ａが、画像選択画面のＨＴＭＬデータを通信部１３を介して送信する（Ｓ３）。情報端末２は、この画像選択画面のＨＴＭＬデータを通信部２２を介して受信すると（Ｓ４）、表示制御部２０ｃの制御の下、表示部２４に画像選択画面１００を表示する（Ｓ５）。
【００４０】
画像選択画面１００の一例は、図８（ａ）に示される通りであり、撮影や画像選択に関する案内表示領域１００ａと、カメラによる撮影に移行する撮影ボタン１００ｂ、ライブラリの中から画像を選択する画像選択ボタン１００ｃが表示される。この撮影ボタン１００ｂを選択すると、情報端末に内蔵されたカメラ部２８による撮影が実施され、撮影された画像データはアップロードの対象となる。画像選択ボタン１００ｃが選択されると、ライブラリが表示され、その中から画像を選択すると、その画像データはアップロードの対象となる。通信部２２を介して外部のストレージサーバにアクセスして、画像を選択するようにしてもよいことは勿論である。
【００４１】
この画像選択画面１００において、操作部２５が操作されて、画像データが選択されたか否かが主制御部２０ａにより判断され（Ｓ６）、選択されるまで待機し、選択されると（Ｓ６をＹｅｓ）、主制御部２０ａの制御の下、通信部２２を介して、画像データがサーバ装置１へと送信される（Ｓ７）。サーバ装置１では、通信部１３を介して画像データを受信すると、ユーザＤＢ１４に、ユーザＩＤと紐づけて画像データを格納する（Ｓ８）。
【００４２】
続いて、サーバ装置１では、主制御部１０ａが、年齢等入力画面のＨＴＭＬデータを通信部１３を介して送信する（Ｓ９）。情報端末２は、この年齢等入力画面のＨＴＭＬデータを通信部２２を介して受信すると（Ｓ１０）、表示制御部２０ｃの制御の下、表示部２４に年齢等入力画面１０１表示する（Ｓ１１）。
【００４３】
この年齢等入力画面１０１の一例は、図８（ｂ）に示される通りであり、先に選択された画像データに係る画像が表示される画像表示領域１０１ａと、性別を選択する性別選択領域１０１ｂ、今の年齢を入力する年齢入力領域１０１ｃ、及び未来の年齢を入力する選択年齢入力領域１０１ｄが表示される。
【００４４】
この年齢等入力画面１０１において、操作部２５が操作されて、各種選択や入力がなされたか否かが主制御部２０ａにより判断され（Ｓ１２）、選択、入力されるまで待機し、選択、入力されると（Ｓ１２をＹｅｓ）、主制御部２０ａの制御の下、通信部２２を介して性別、年齢、選択年齢を含む属性データがサーバ装置１へと送信される（Ｓ１３）。サーバ装置１では、通信部１３を介して属性データを受信すると、ユーザＤＢ１４に、ユーザＩＤと紐づけて属性データを格納する（Ｓ１４）。
【００４５】
続いて、サーバ装置１では、主制御部１０ａが、シチュエーション選択画面のＨＴＭＬデータを通信部１３を介して送信する（Ｓ１５）。情報端末２は、このシチュエーション選択画面のＨＴＭＬデータを通信部２２を介して受信すると（Ｓ１６）、表示制御部２０ｃの制御の下、表示部２４にシチュエーション選択画面１０２表示する（Ｓ１７）。
【００４６】
このシチュエーション選択画面１０２の一例は、図８（ｃ）に示される通りであり、この例では、カテゴリ選択領域１０２ａと、シチュエーション選択領域１０２ｂが表示される。カテゴリ選択領域１０２ａでは、「職業で選ぶ」、「場所で選ぶ」、「好きで選ぶ」、「お金で選ぶ」、「興味で選ぶ」、「幸せで選ぶ」の中から所望とするカテゴリを選択することができ、１つを選択すると、そのカテゴリに関わるシチュエーションの選択枝がシチュエーション選択領域１０２ｂに表示され、選択可能となる。但し、これは一例であって、これらに限定されるものではない。
【００４７】
このシチュエーション選択画面１０２において、操作部２５が操作されて、選択がなされたか否かが主制御部２０ａにより判断され（Ｓ１８）、選択されるまで待機し、選択されると（Ｓ１８をＹｅｓ）、主制御部２０ａの制御の下、通信部２２を介してシチュエーションのデータが属性データの一部としてサーバ装置１へと送信される（Ｓ１９）。サーバ装置１では、通信部１３を介して属性データを受信すると、ユーザＤＢ１４に、ユーザＩＤと紐づけて属性データを格納する（Ｓ２０）。
【００４８】
続いて、サーバ装置１は、詳細は図９で後述するが、コンテンツ生成処理を実行する（Ｓ２１）。コンテンツ生成処理では、ユーザＤＢ１４に格納されているユーザの画像データ及び属性データに基づいて、経年変化処理部１０ｃが選択年齢に相当する経年変化画像を生成し、画像合成部１０ｄが経年変化画像データと属性データに対応するシチュエーションの画像データとを合成し、ファイル生成部１０ｅが合成画像データとシチュエーションに対応するコメント（テキストデータ、音声データ）がある場合には当該コメントとを含むファイルを生成する。サーバ装置１は、主制御部１０ａの制御の下、このファイルをユーザの情報端末２に送信する（Ｓ２２）。
【００４９】
こうして、ユーザの情報端末２では、通信部２２を介して、このサーバ装置１からのファイルを受信すると、ブラウザ部２０ｂにより、表示部２４にてファイルに基づくコンテンツの再生が行われることになる（Ｓ２３）。
【００５０】
この再生画面１０３の一例は、図８（ｄ）に示される通りであり、この例では、経年変化したユーザの画像が選択したシチュエーションの画像と重ねて表示され、シチュエーションに係るコメントも併せて表示される。こうして、経年変化画像を用いたコンテンツ再生に係る一連の処理を終了する。
【００５１】
次に図９のフローチャートを参照して、図７のステップＳ２１で実行されるコンテンツ生成処理の処理手順を詳細に説明する。
【００５２】
この処理に入ると、先ず画像取得部１０ｂが、ユーザＤＢ１４よりユーザの画像データを読み出す（Ｓ３１）。続いて、経年変化処理部１０ｃが、画像データに対して、ユーザの属性データに含まれる選択年齢に相当する経年変化処理を施す（Ｓ３２）。
【００５３】
ここで、経年変化処理としては、種々の手法を採用できるが、例えば、次のような手法を用いることができる。先ず、ウェブ上の顔の画像データを性別、年齢毎に選び、同じ年代、性別の人の平均的な顔（平均顔）をつくり上げ、輪郭、目、鼻、口、と、特徴的部分をポインティングする。そして、各年代の平均顔の、ポイントの変化位置を加齢による平均的経年情報とし、ユーザによりアップロードされた画像データから、ユーザの属性データに含まれる現在の年齢、見たい年齢である選択年齢、性別の情報を基に、画像を変化させる事で、経年変化させた画像データを生成する。
【００５４】
続いて、画像合成部１０ｄは、シチュエーションＤＢ１５から、ユーザの属性データに含まれるシチュエーションに対応するシチュエーションのが画像データを読み出し（Ｓ３３）、先に経年変化させた画像データとシチュエーションの画像データとの画像合成処理を行う（Ｓ３４）。そして、ファイル生成部１０ｅは、合成された画像データと、シチュエーションに対応するコメント（テキストデータ、音声データ）が存在する場合にはそれらデータも含めて、ファイルを生成する（Ｓ３５）。こうして、図７のステップＳ２１以降の処理にリターンすることになる。
【００５５】
以上説明したように、本発明の第１実施形態によれば、経年変化した未来の自分の姿と未来の自分のおかれた職業、環境、立場などのシチュエーションを重ねて目視することができるので、印象強い未来像を実感することができるようになる。更に、ユーザの利用の過程で、ユーザの属性データの収集が可能となるので、世界中の子供たちの将来なりたい自分のマーケティングデータを得ることが可能となり、産業界における人口分布を予見することも可能となる。更には、ユーザは、このシステムの利用を繰り返す中、自分にふさわしい職業がないことを実感すると、自ら新しいシチュエーションを創り出そうと、活動を始めることにも予想され、それは産業全体の発展をもたらすものになる。
【００５６】
＜第２実施形態＞
【００５７】
図１０には本発明の第２実施形態に係る未来像提示システムのサーバ装置の構成を詳細に示し説明する。ここでは、図２と同一構成については同一符号を付し、異なる部分を中心に説明を進める。
【００５８】
同図に示されるように、サーバ装置３０は、記憶部１２に記憶された制御プログラム３１を読み出し実行することで、図２の機能に加えて、対話部１０ｇ、対話画像変換処理部１０ｈとしても機能する。サーバ装置３０は、対話シナリオＤＢ３２を備えている。対話シナリオＤＢ３２は図１１に示されるような構成となっており、シチュエーションＩＤ（ＳＩＤ）と、当該シチュエーションごとに認識ワードと対応シナリオとを対応付けて記憶している。例えば、選択されたシチュエーションがＳＩＤ＝Ｓ００１である場合に、認識ワードが「楽しいですか」であれば、対応シナリオとして「楽しいですよ」が特定されることになる。
【００５９】
対話部１０ｇは、ユーザの情報端末２から送られてきた音声データを音声認識し、認識された認識ワードと対応する対応シナリオを対話シナリオＤＢ３２のテーブルから読み出し、音声ファイルを生成して、出力する。これをユーザの情報端末２との間で繰り返すことで、対話が成立することになる。この対話中にも、先に説明したような経年変化させた画像データにシチュエーションを重ねた画像は継続して表示される。対話画像変換処理部１０ｈは、合成された画像データを対話画像データに変換する。
【００６０】
ここで、図１１には対話部１０ｇの詳細な構成を示し更に説明する。
【００６１】
同図に示されるように、対話部１０ｇは、音声取得部３３ａ、音声認識部３３ｂ、シナリオ選択部３３ｃ、音声ファイル生成部３３ｄ、及び音声ファイル出力部３３ｅを備えている。音声ファイルのファイル形式としては、ＭＰ３等、種々のものがある。
【００６２】
このような構成において、音声取得部３３ａは、通信部１３を介して受信した音声データを取得する。音声認識部３３ｂは、音声データを音声認識する。シナリオ選択部３３ｃは、認識された音声に対応するシナリオを選択する。音声ファイル生成部３３ｄは、対話シナリオＤＢ３２を参照して、選択された対話シナリオに基づいて音声ファイルを生成する。そして、音声ファイル出力部３３ｅは、音声ファイルを出力する。この音声ファイルは、主制御部１０ａの制御の下、通信部１３を介してユーザの情報端末２に送信されることになる。
【００６３】
以下、図１３のフローチャートを参照して、本発明の第２実施形態に係る未来像提示システムによる処理手順を説明する。ここでは、図７と同一の処理については、同一のステップ番号を付し、異なる部分を中心に説明する。
【００６４】
この処理では、先ずステップＳ４１にて実行するコンテンツ生成処理が図７とは異なっている。ここでは、対話している臨場感を高めるために、経年変化後の画像データを対話画像に変換する処理を更に加えている。これにより、動画像のように、あたかも画面の向こうの未来像が自分に語りかけているかのごとき画像再生を実現する。
【００６５】
また、この処理では、ステップＳ４２、ステップＳ４３にて実施される対話処理が更に加えられている。詳細は後述するが、ユーザの情報端末２より送られてきた音声データを音声認識し、対応シナリオを対話シナリオＤＢ３２より読み出し、音声ファイルを生成して送信する処理を対話が途絶えるまで実施することになる。
【００６６】
以下、図１４のフローチャートを参照して、図１３のステップＳ４１で実行されるコンテンツ生成処理の処理手順を更に詳細に説明する。
【００６７】
この処理に入ると、先ず画像取得部１０ｂが、ユーザＤＢ１４よりユーザの画像データを読み出す（Ｓ５１）。続いて、経年変化処理部１０ｃが、画像データに対して、ユーザの属性データに含まれる選択年齢に相当する経年変化処理を施す（Ｓ５２）。経年変化処理については、前述した手法をはじめ、種々のものを採用できる。続いて、画像合成部１０ｄは、シチュエーションＤＢ１５から、ユーザの属性データに含まれるシチュエーションに対応する画像データを読み出し（Ｓ５３）、先に経年変化させた画像データとシチュエーションの画像データとの画像合成処理を行う（Ｓ５４）。そして、対話画像変換処理部１０ｈが、合成された画像データを更に対話画像データに変換する。
【００６８】
この対話画像変換処理については、種々の手法を採用することができるが、例えば画像の中の特徴点として、口角等を検出し、その口角の位置を変更することで、口が開いた画像と口が閉じた画像とを交互に繰り替えるような複数フレームを生成し、動画データとすることが可能である。
【００６９】
ファイル生成部１０ｅは、この動画データと、シチュエーションに対応するコメント（テキストデータ、音声データ）が存在する場合にはそれらデータも含めて、ファイルを生成する（Ｓ５５）。こうして、図１３のステップＳ４１以降の処理にリターンする。尚、音声データがファイルに含まれる場合、その音声は、対話開始前の初期コメントとして再生されることになる。
【００７０】
次に、図１５のフローチャートを参照して、図１３のステップＳ４２で実行される対話処理の詳細な処理手順を更に詳細に説明する。
【００７１】
初期のコメントと共に動画が再生された後、情報端末２にて音声入力部２６より音声が入力されると、主制御部２０ａは音声ファイルをサーバ装置１側に送信する（Ｓ６１）。
【００７２】
サーバ装置１では、通信部１３を介して情報端末２から送られた音声ファイルを受信すると、音声取得部３３ａが音声データを取得する（Ｓ６２）。続いて、音声認識部３３ｂが音声データを音声認識すると（Ｓ６３）、シナリオ選択部３３ｃが対話シナリオＤＢ３２を参照して認識された音声（認識ワード）に対応する対話シナリオを選択する（Ｓ６４）。続いて、音声ファイル生成部３３ｄが選択された対話シナリオに基づいて音声ファイルを生成する（Ｓ６５）。音声ファイル出力部３３ｅが音声ファイルを出力すると、主制御部１０ａは、通信部１３を介してユーザの情報端末２に送信する（Ｓ６６）。
【００７３】
情報端末２では、この音声ファイルを通信部２２にて受信すると（Ｓ６７）、先に送られて記憶保持している動画データと同期させて音声出力部２７より音声出力し（Ｓ６８）、図１３のステップＳ４２以降の処理にリターンする。これ以後、ステップ４３の判断に基づいて、対話が繰り返される。
【００７４】
以上説明したように、本発明の第２実施形態によれば、ユーザは経年変化した画像にシチュエーション画像を合成した自分の未来像を確認できることに加えて、その未来像に対して各種の質問、投げかけをすることで、より印象強い対話が生まれる。これは、そうなりたいという願望へとつながり、その後の学習意欲、トレーニング意欲の向上をもたらすことになる。
【００７５】
＜第３実施形態＞
【００７６】
図１６には本発明の第３実施形態に係る未来像提示システムのサーバ装置の構成を示し説明する。ここでは、図２と同一構成については同一符号を付し、異なる部分を中心に説明を進める。
【００７７】
同図に示されるように、サーバ装置４０は、記憶部１２の制御プログラム４１を読み出し実行することで、図２の機能に加えて、シチュエーション選択部１０ｉとしても機能する。このシチュエーション選択部１０ｉは、ユーザの属性データに基づいてシチュエーションを選択するものである。属性データとしては、上述したものに加えて、ユーザの嗜好性、身体的特徴、得意不得意な科目、及び性格の少なくともいずれかを含む。
【００７８】
図１７（ａ）乃至図１７（ｄ）にはシチュエーション選択部による選択時に参照されるユーザの属性情報を示し説明する。これらは、所定の選択入力画面よりユーザの情報端末にて選択入力されるようにしてよい。選択入力された属性データは、サーバ装置１側でユーザＤＢ１４に格納される。
【００７９】
図１７（ａ）のテーブルは、ユーザの嗜好性を判定するためのもので、各質問にＹｅｓ／Ｎｏで答えてもらうことで、ユーザの嗜好性を探ることができる。図１７（ｂ）のテーブルは、ユーザの身体的特徴を判定するためのもので、各質問に３段階で答えてもらうことで、身体的特徴を探ることができる。図１７（ｃ）のテーブルは、ユーザの得意不得意科目を判定するためのもので、各質問に対して好き、ふつう、嫌いと、１日に使う時間を得ることで、得意不得意かもくから文系向きか理系向きかを探ることができる。そして図１７（ｄ）のテーブルは、ユーザの性格を判定するためのもので、各質問にＹｅｓ／Ｎｏで答えてもらうことで、ユーザの性格を探ることができる。
【００８０】
このようなテーブルを参照して、質問画面を生成し、ユーザに入力を促せば、ユーザの嗜好性、身体的特徴、文系／理系、性格の属性データを得ることができるので、これら属性データに基づいて多面的にユーザに好適なシチュエーションを選び出すことも可能となる。その場合、シチュエーションＤＢ１５のシチュエーションＩＤと各属性データとの関係を紐づけておけば、選択アルゴリズムが実現される。
【００８１】
以上説明したように、本発明の第３実施形態によれば、例えば、ユーザの嗜好性、身体的特徴、文系／理系、性格の属性データに基づいて、ユーザにふさわしいシチュエーションを選択することができるので、経年変化画像と合成されるシチュエーションの画像データについても好適なものが選択され、よりインパクトのある未来像をユーザに提示することが可能となる。これは、そのシチュエーションに自らを将来導きたいという強い意志を生み、その後の学習意欲、トレーニング意欲の向上をもたらすことになる。
【００８２】
以上説明した本発明の第１乃至第３の実施形態において、ユーザの情報端末をヘッドマウンテッドディスプレイ（HMD；Head Mounted Display）として、経年変化した動画や静止画を再生してもよい。その場合、ユーザが選択したシチュエーションに置かれた状況を３Ｄで再現し、ユーザにその立場で見える景色、環境を提示し、鏡を覗き込んだときに経年変化した自分の姿が見えるようにすることもできる。また、対話処理を実施するときに出力音声をユーザの音声を経年変化させた音声として、将来の自分と対話しているかのごとき臨場感を与えることもできる。音声の経年変化については、例えば音域、音階を実年齢と選択年齢との関係に基づいて下げるなど、種々の手法を採用できる。
【００８３】
以上、本発明の一実施形態について説明したが、本発明はこれに限定されることなくその趣旨を逸脱しない範囲で種々の改良・変更が可能であることは勿論である。
【００８４】
例えば、わが子の画像データや年齢等の属性データを入力し、経年変化されたわが子の画像にシチュエーション画像を合成して生成したファイルを、わが子の情報端末にプレゼントとして贈るような用途にも適用可能である。
【００８５】
また、子供の画像データの経年変化のほか、高校への進学、大学への進学、就職、成人の転職、願望達成、老後や終活まで、様々な年齢やシュ チュエーションでも、本発明は適用可能である。また、親がわが子にプレゼントというような本人以外の活用もできることは勿論である。たとえば、祖父母の孫の成人姿を見てみたいというニーズや、アイドルファンがアイドルの経年人相画を見てみたいというニーズなど、多種多様の活用が可能であることは勿論である。
【符号の説明】
【００８６】
１…サーバ装置、２…情報端末、３…ネットワーク、１０…制御部、１０ａ…主制御部、１０ｂ…画像取得部、１０ｃ…経年変化処理部、１０ｄ…画像合成部、１０ｅ…ファイル生成部、１０ｆ…集計部、１０ｇ…対話部、１０ｈ…対話画像変換処理部、１０ｉ…シチュエーション選択部、１１…制御プログラム、１２…記憶部、１３…通信部、１４…ユーザＤＢ、１５…シチュエーションＤＢ、１６…集計結果ＤＢ、１７…通信バス、２０…制御部、２０ａ…主制御部、２０ｂ…ブラウザ部、２０ｃ…表示制御部、２１…記憶部、２２…通信部、２３…タッチパネル、２４…表示部、２５…操作部、２６…音声入力部、２７…音声出力部、２８…通信バス、２９…カメラ部、３０…サーバ装置、３１…制御プログラム、３２…対話シナリオＤＢ、３３ａ…音声取得部、３３ｂ…音声認識部、３３ｃ…シナリオ選択部、３３ｄ…音声ファイル生成部、３３ｅ…音声ファイル出力部、４０…サーバ装置、４１…制御プログラム。
【図１】
2017068388.tif 000003
【図２】
2017068388.tif 000004
【図３】
2017068388.tif 000005
【図４】
2017068388.tif 000006
【図５】
2017068388.tif 000007
【図６】
2017068388.tif 000008
【図７】
2017068388.tif 000009
【図８】
2017068388.tif 000010
【図９】
2017068388.tif 000011
【図１０】
2017068388.tif 000012
【図１１】
2017068388.tif 000013
【図１２】
2017068388.tif 000014
【図１３】
2017068388.tif 000015
【図１４】
2017068388.tif 000016
【図１５】
2017068388.tif 000017
【図１６】
2017068388.tif 000018
【図１７】
2017068388.tif 000019